(57)【要約】【課題】誘電体デュプレクサにおける送信フィルタと受信フィルタの共振器の長さの不一致の問題を解消し、調整回路等が不要な誘電体デュプレクサを提供する。【解決手段】複数の平行な凹溝を設けた誘電体基板と平板の誘電体基板とを接合して凹溝部分に構成される複数の共振器によって送信フィルタと受信フィルタとが一体に構成されてなる誘電体デュプレクサにおいて、凹溝を設けた誘電体基板の誘電率を送信フィルタ部と受信フィルタ部とで異ならせる。周波数の高い方の誘電率を低くすることによって長さを揃えることができる。【選択図】　図２
2004140646.tif 000002
【特許請求の範囲】
【請求項１】
複数の平行な凹溝を設けた誘電体基板と平板の誘電体基板とを接合して凹溝部分に構成される複数の共振器によって送信フィルタと受信フィルタとが一体に構成されてなる誘電体デュプレクサにおいて、凹溝を設けた誘電体基板の誘電率を送信フィルタ部と受信フィルタ部とで異ならせたことを特徴とする誘電体デュプレクサ。
【請求項２】
複数の平行な凹溝を設けた誘電体基板と平板の誘電体基板とを接合して凹溝部分に構成される複数の共振器によって送信フィルタと受信フィルタとが一体に構成されてなる誘電体デュプレクサにおいて、平板の誘電体基板の誘電率を送信フィルタ部と受信フィルタ部とで異ならせたことを特徴とする誘電体デュプレクサ。
【請求項３】
複数の平行な凹溝を設けた誘電体基板と平板の誘電体基板とを接合して凹溝部分に構成される複数の共振器によって送信フィルタと受信フィルタとが一体に構成されてなる誘電体デュプレクサにおいて、凹溝を設けた誘電体基板の誘電率を送信フィルタ部と受信フィルタ部とで異ならせるとともに、送信フィルタ部と受信フィルタ部の長さをほぼ等しくしたことを特徴とする誘電体デュプレクサ。
【請求項４】
複数の平行な凹溝を設けた誘電体基板と平板の誘電体基板とを接合して凹溝部分に構成される複数の共振器によって送信フィルタと受信フィルタとが一体に構成されてなる誘電体デュプレクサにおいて、平板の誘電体基板の誘電率を送信フィルタ部と受信フィルタ部とで異ならせるとともに、送信フィルタ部と受信フィルタ部の長さをほぼ等しくしたことを特徴とする誘電体デュプレクサ。
【請求項５】
複数の平行な凹溝を設けた誘電体基板と平板の誘電体基板とを接合して凹溝部分によって複数の共振器を形成して送信フィルタと受信フィルタとが一体に形成する誘電体デュプレクサの製造方法において、送信フィルタを構成する凹溝を設けた誘電体基板と受信フィルタを構成する凹溝を設けた誘電体基板とに誘電率の異なる基板を用い、それぞれの凹溝を設けた誘電体基板を平板の誘電体基板に接合することを特徴とする誘電体デュプレクサの製造方法。
【請求項６】
複数の平行な凹溝を設けた誘電体基板と平板の誘電体基板とを接合して凹溝部分によって複数の共振器を形成して送信フィルタと受信フィルタとが一体に形成する誘電体デュプレクサの製造方法において、送信フィルタを構成する平板の誘電体基板と受信フィルタを構成する平板の誘電体基板とに誘電率の異なる基板を用い、それぞれの平板の誘電体基板を凹溝を設けた誘電体基板に接合することを特徴とする誘電体デュプレクサの製造方法。
【発明の詳細な説明】
【０００１】
【発明の属する技術分野】
本発明は、誘電体デュプレクサの構造とその製造方法に関するものである。
【０００２】
【従来の技術】
【特許文献１】特開平５−３４７５０４号公報
【特許文献２】特開平５−３４７５０５号公報
【特許文献３】特開平６−６１１９号公報
【０００３】
移動体通信機器などの高周波用のフィルタとして誘電体フィルタが用いられており、またそれを組み合わせてデュプレクサに利用されることも多い。一般には同軸型の誘電体共振器を複数個用いてフィルタを構成するが、複数の共振器あるいはフィルタを単一の誘電体ブロック内に形成するものもある。
【０００４】
種々の特性に対応でき、また精度を高めることが容易な誘電体フィルタとして凹溝を形成した誘電体基板と平板の誘電体基板を接合する構造および製法が提案され、実用化されている。これは、図３に示したように誘電体基板３１に送信用（Ｔｘ）フィルタと受信用（Ｒｘ）フィルタの共振器を構成する凹溝を設け、平板の誘電体基板３５を貼り合せる構造をとっている。
【０００５】
しかし、誘電体共振器の共振周波数はその長さで決まるので、この構造でＷ−ＣＤＭＡ（Ｔｘ：１９５０ＭＨｚ、Ｒｘ：２１４０ＭＨｚ）のように周波数の差が大きい場合、送信（Ｔｘ）と受信（Ｒｘ）のフィルタを構成する共振器の長さの差が大きくなってしまうという問題がある。
【０００６】
また、一般的に送信（Ｔｘ）では受信（Ｒｘ）バンド（高域側）で大きく減衰させ、受信（Ｒｘ）では送信（Ｔｘ）バンド（低域側）で大きく減衰させる必要がある。そのため、送信フィルタでは高域側に減衰極を形成させ、受信フィルタでは低域側に減衰極を形成させている。そのため、送信フィルタでは共振器間を誘導的に結合させて高域側に減衰極を形成し、受信フィルタでは共振器間を容量的に結合させて低域側に減衰極を形成するのが一般的である。
【０００７】
ここで送信（Ｔｘ）と受信（Ｒｘ）の中心周波数が近いとしても、容量性結合では誘導性結合に比較して周波数が低くなるので、共振器の長さに差が生じる。この問題に対応するために、図４に示したように、誘電体ブロックの送信（Ｔｘ）と受信（Ｒｘ）のフィルタ間に段差を設ける手段などが採用される。また、回路構成や内部の導体パターンなどによって調整する方法もあるが、いずれにせよ設計が難しくまた自由度も少なくなる。
【０００８】
【発明が解決しようとする課題】
本発明は、誘電体デュプレクサにおける送信（Ｔｘ）フィルタと受信（Ｒｘ）フィルタの共振器の長さの不一致の問題を解消し、調整回路等が不要な誘電体デュプレクサを提供するものである。
【０００９】
【課題を解決するための手段】
本発明は、誘電体基板の誘電率を送信（Ｔｘ）部と受信（Ｒｘ）部で変えることによって、上記の課題を解決するものである。
【００１０】
すなわち、複数の平行な凹溝を設けた誘電体基板と平板の誘電体基板とを接合して凹溝部分に構成される複数の共振器によって送信フィルタと受信フィルタとが一体に構成されてなる誘電体デュプレクサにおいて、凹溝を設けた誘電体基板の誘電率を送信フィルタ部と受信フィルタ部とで異ならせたことに特徴を有するものである。
【００１１】
また、複数の平行な凹溝を設けた誘電体基板と平板の誘電体基板とを接合して凹溝部分によって複数の共振器を形成して送信フィルタと受信フィルタとが一体に形成する誘電体デュプレクサの製造方法において、送信フィルタを構成する凹溝を設けた誘電体基板と受信フィルタを構成する凹溝を設けた誘電体基板とに誘電率の異なる基板を用い、それぞれの凹溝を設けた誘電体基板を平板の誘電体基板に接合することに特徴を有するものである。
【００１２】
【発明の実施の形態】
貼り合せる誘電体基板のうち、平板の誘電体基板の誘電率は送信（Ｔｘ）部、受信（Ｒｘ）部ともに同じである。周波数の低い方（前記の送信側）の誘電率を周波数の高い方（前記の受信側）の誘電率よりも高くすることによって、周波数の差による共振器の長さの差を補正することができる。
【００１３】
【実施例】
以下、図面を参照して、本発明の実施例について説明する。図１は接合前の誘電体基板を示す斜視図である。凹溝の形成された第１の誘電体基板１２と同様に凹溝が形成された第２の誘電体基板１３の凹溝が形成された面が平板の誘電体基板１５と接合される。ここで、誘電体基板１２と誘電体基板１３の誘電率が異なるように誘電体基板の材料が選択される。
【００１４】
図２は、誘電率の異なる２枚の凹溝を具えた誘電体基板と平板の誘電体基板とが接合され、所定の導体膜が形成された誘電体デュプレクサを示す斜視図である。前記のＷ−ＣＤＭＡ用の送信（Ｔｘ）フィルタの中心周波数が１９５０ＭＨｚ、受信（Ｒｘ）フィルタの中心周波数が２１４０ＭＨｚのデュプレクサを得る場合には次のような誘電体材料を用いるとよい。
【００１５】
厚さ０．７ｍｍの平板の誘電体基板２５の誘電率を９１とし、送信（Ｔｘ）フィルタを構成する部分の凹溝を具えた厚さ１．１ｍｍの誘電体基板２２の誘電率を３７とする。送信（Ｔｘ）、受信（Ｒｘ）それぞれ３素子のフィルタを構成すると、送信（Ｔｘ）フィルタの高さは５．２ｍｍとなる。
【００１６】
受信（Ｒｘ）フィルタを構成する凹溝を具えた誘電体基板２３の誘電率を２１とすると受信（Ｒｘ）フィルタの高さを送信（Ｔｘ）フィルタの高さと同じにすることができる。なお、誘電体基板の接合はガラス等を用いて行うことができ、誘電体フィルタの内導体、外導体および短絡導体は導体ペーストの塗布、焼付けによって形成することができる。
【００１７】
本発明は上記の例に限られるものではなく、組み合わせる３種の誘電体基板は任意に組み合わせることができる。平板の誘電体基板の誘電率を変えても同様に構成でき、例えば凹溝を有する誘電体基板の誘電率を３７とし、送信（Ｔｘ）部の平板の誘電体基板の誘電率を９１、受信（Ｒｘ）部の平板の誘電体基板の誘電率を４５としても同じサイズの誘電体デュプレクサを構成できる。
【００１８】
【発明の効果】
本発明によれば、誘電体基板の誘電率を変えることによって、誘電体デュプレクサを構成する共振器の長さの差を解消することができる。しかも、特別な回路や素子を必要とせず、誘電体デュプレクサの設計、製造が容易となる。
【図面の簡単な説明】
【図１】本発明の実施例を示す斜視図
【図２】本発明の実施例を示す斜視図
【図３】従来の製造方法を示す斜視図
【図４】従来の誘電体デュプレクサを示す斜視図
【符号の説明】
１２、２２：送信フィルタ用誘電体基板
１３、２３：受信フィルタ用誘電体基板
３１：凹溝を具えた誘電体基板
１５、２５、３５：平板の誘電体基板
【図１】
2004140646.tif 000003
【図２】
2004140646.tif 000004
【図３】
2004140646.tif 000005
【図４】
2004140646.tif 000006